(57)【要約】      （修正有）【課題】きれいなバストラインを形成するとともに、装着感のよいカップ付き女性用衣類を提供する。【解決手段】バストを包み込む左右一対のカップ部１１と、左右のカップ部１１を連結するとともに、胸部周囲を包囲する包囲体とを備えたフィットネスウェアであって、カップ部１１に、前記カップ部１１の形状を構成するカップ型パットを装着するカップ型パット装着空間と、該カップ型パット装着空間の内面側に配置し、前記バストに直接接触してテンションを付与するテンションクロス２３とを備え、カップ型パット装着空間を、幅方向には伸縮するが、高さ方向には伸縮しない織布で構成し、前記テンションクロス２３を、伸縮方向が異なるテンションクロスを重ねて構成する。【選択図】図２
0003145273.tif 000002
【実用新案登録請求の範囲】
【請求項１】
バストを包み込む左右一対のカップ体と、
該左右のカップ体を連結するとともに、胸部周囲を包囲する包囲体とを備えたカップ付き女性用衣類であって、
前記カップ体に、
前記カップ体の形状を構成するカップ型パットを装着するカップ型パット装着ポケットと、
該カップ型パット装着ポケットの内面側に配置し、前記バストに直接接触してテンションを付与するテンションクロスとを備え、
前記カップ型パット装着ポケットを、少なくとも一方向に伸縮しない非伸縮性布帛で構成し、
前記テンションクロスを、伸縮性のある伸縮性布帛で構成した
カップ付き女性用衣類。
【請求項２】
前記テンションクロスを、
伸縮方向が異なる複数の伸縮性布帛を重ねて構成した
請求項１に記載のカップ付き女性用衣類。
【請求項３】
前記テンションクロスを、
前記カップ体における左右のカップ体が対向する幅方向内側の下部から、幅方向外側の上方に向かって、バージスラインに沿って配置した
請求項１または２に記載のカップ付き女性用衣類。
【請求項４】
前記カップ体における外面側の布帛の縫製箇所の端部に重なる前記テンションクロスの対応箇所に、
前記テンションクロスと前記縫製箇所の端部との重なりを防止する重なり防止開口を形成した
請求項１、２または３に記載のカップ付き女性用衣類。
【考案の詳細な説明】
【技術分野】
【０００１】
この考案は、バストを包むカップを備えたフィットネスウェア等のカップ付き女性用衣類に関する。
【背景技術】
【０００２】
バストの形を奇麗に見せることは女性の願いであり、従来から様々なバストを包むカップを備えたカップ付き女性用衣類が提案され、提供されている。これらのカップ付き女性用衣類のカップは、バストを包み込んで保護するだけでなく、バストの形状をきれいに見せるために、伸縮性の布帛で締め付けたり、カップの形状やパットを挿着したりすることでバストをきれいな形を保持することができる（特許文献１参照）。
【０００３】
また、フィットネスウェアや水着のように激しい動きが想定される女性用衣類においてもバストを奇麗に見せたいという希望も強かったが、従来の伸縮性の布帛で締め付けたり、カップの形状やパットを挿着したりすることでバストをきれいな形を保持するカップ付き女性用衣類では、着用者の動きに支障したり、運動中のカップとバストのフィット感が損なわれ、着用する女性の満足を得ることは困難であった。
【特許文献１】特開２００１−３１６９１１号公報
【考案の開示】
【考案が解決しようとする課題】
【０００４】
この考案は、きれいなバストラインを形成するとともに、装着感のよいカップ付き女性用衣類の提供を目的とする。
【課題を解決するための手段】
【０００５】
この考案は、バストを包み込む左右一対のカップ体と、該左右のカップ体を連結するとともに、胸部周囲を包囲する包囲体とを備えたカップ付き女性用衣類であって、前記カップ体に、前記カップ体の形状を構成するカップ型パットを装着するカップ型パット装着ポケットと、該カップ型パット装着ポケットの内面側に配置し、前記バストに直接接触してテンションを付与するテンションクロスとを備え、前記カップ型パット装着ポケットを、少なくとも一方向に伸縮しない非伸縮性布帛で構成し、前記テンションクロスを、伸縮性のある伸縮性布帛で構成したことを特徴とする。
【０００６】
上記バストを包み込むカップは、バストの上から約１／４をサイドからセンターに向かって斜めにカットし、バストの下約３／４を覆う３／４カップや、バスト全体を覆うフルカップや、フルカップの上半分を水平にカットした１／２カップであることを含む。  
上記カップ型パットは、両面に織布が貼り付けられた薄いスポンジ樹脂材で形成された立体形状のパットをいう。
【０００７】
上記少なくとも一方向に伸縮しない非伸縮性布帛は、例えば幅方向に伸縮するが高さ方向には伸縮しない織布や、トリコット等のいずれの方向も伸縮性を有しない布帛であることを含む。  
テンションクロスを構成する伸縮性布帛は、伸縮方向が少なくとも胸部を包囲する包囲方向であるパワーネットであることをいう。  
上記カップ付き女性用衣類は、フィットネスウェア、水着等の衣類であることを含む。
【０００８】
これにより、着用することで、きれいなバストラインを形成するとともに、装着感のよいカップ付き女性用衣類を提供することができる。  
また、前記カップ型パット装着ポケットを、少なくとも一方向に伸縮しない非伸縮性布帛で構成し、その内面側に、伸縮性のある伸縮性布帛で構成する、前記バストに直接接触してテンションを付与するテンションクロスを備えたことにより、よりきれいなバストラインを形成することができる。
【０００９】
詳述すると、カップ型パット装着ポケットに装着したカップ型パットによりバストの外形を構成し、その内部、すなわちカップ体の内側で、バスト自体にテンションクロスでテンションを付与しているため、例えば、カップ付き女性用衣類の着用者が激しく動作した場合であっても、バスト自体の変形の影響がカップ体の外形に現れないため、よりきれいなバストラインを保持することができる。
この発明の態様として、前記テンションクロスを、伸縮方向が異なる複数の伸縮性布帛を重ねて構成することができる。  
上記伸縮方向は、伸縮時の付勢力の高い方向をいう。
【００１０】
これにより、いかなる方向へのバスト自体の移動であっても、適度なテンションをバスト自体に付与できるため、きれいなバストラインを維持することができる。
【００１１】
また、この発明の態様として、前記テンションクロスを、前記カップ体における左右のカップ体が対向する幅方向内側の下部から、幅方向外側の上方に向かって、バージスラインに沿って配置することができる。
【００１２】
これにより、テンションクロスは、バストに対して、幅方向内側向きの適度なテンションを付与することができる。したがって、バストの寄上げ効果を向上することができる。
【００１３】
また、この発明の態様として、前記カップ体における外面側の布帛の縫製箇所の端部に重なる前記テンションクロスの対応箇所に、前記テンションクロスと前記縫製箇所の端部との重なりを防止する重なり防止開口を形成することができる。  
これにより、縫製箇所とテンションクロスとの重なりによるカップ体内部への突出を低減できるため、カップ付き女性用衣類の装着感を損なうことを防止できる。
【考案の効果】
【００１４】
本考案によって、きれいなバストラインを形成するとともに、装着感のよいカップ付き女性用衣類を提供することができる。
【考案を実施するための最良の形態】
【００１５】
この考案の一実施形態を、以下図面を用いて説明する。  
図１はフィットネスウェア１の斜視図を示し、図２は表裏を裏返して着用した状態のフィットネスウェア１の正面図を示し、図３はフィットネスウェア１のブラジャー１０の裏面図を示し、図４はブラジャー１０のブラジャー本体１０ａの分解構成図を示し、図５は連結トリコット１２の構成説明図を示し、図６はカップ部１１の組み立て構成図を示し、図７はテンションクロス２３の構成説明図を示している。
【００１６】
なお、図２は、ブラジャー１０の構成についての理解を容易にするために、フィットネスウェア１を裏返し、ブラジャー１０が縫着された裏面側、すなわち着用者のボディに接する内面側を表としてフィットネスウェア１を着用した状態の正面図を示している。
【００１７】
フィットネスウェア１は、図１に示すように、エアロビクスやエクササイズをするときに女性が着用する運動用のウェアとして、表面の多くがストレッチ布帛で構成されたセパレートタイプのトップスであり、上から順に、肩紐２と、バスト部３と、アンダーバストで切り替えて裾を広げたウェスト部４とで構成している。
【００１８】
フィットネスウェア１は、バスト部３の内側にブラジャー１０を備え、ブラジャー１０に対応する背中側の上部には、後述するブラジャー１０の下向きパワーネット１４ｂが接続され、パワーネットによって構成された幅方向の背面ネット部５が配置されている。
【００１９】
さらに、左右の肩紐２とバスト部３とで囲まれた胸元には、胸元メッシュ２ａを配置している。なお、背面ネット部５と下向きパワーネット１４ｂとでフィットネスウェア１を着用する着用者の胸部の周囲を包囲する包囲体を構成している。
【００２０】
フィットネスウェア１のバスト部３の内側に縫着されたブラジャー１０は、着用した際にバストを包む左右一対のカップ部１１を備えたブラジャー本体１０ａと、カップ部１１の内面側に備えたバストフォーム２０とで構成している。
【００２１】
詳述すると、ブラジャー本体１０ａは、図４に示すように、左右一対のカップ部１１を構成するカップ基材１１ａと、左右一対のカップ部１１を連結する連結トリコット１２と、左右一対のカップ部１１の幅方向各外側に配置されたパワーネット１４（１４ａ，１４ｂ）と、パワーネット１４のうち下側の下向きパワーネット１４ｂ及び連結トリコット１２の下端で連続配置したピコレース１５と、パワーネット１４のうち上側の上向きパワーネット１４ａ及びカップ部１１の上端で連続配置したマイクロテープ１６とで構成している。
【００２２】
カップ基材１１ａは、幅方向には伸縮するが、高さ方向には伸縮しない織布で構成され、下辺が下向き凸状の曲線状に形成された正面視お椀型であり、これにより３／４カップのカップ部１１を構成する。  
連結トリコット１２は、左右一対のカップ基材１１ａの間に配置され、各カップ基材１１ａの対向部分から下方中央付近までに沿う、正面視略逆Ｔ型で形成され、底辺となるＴ型のフランジ部分の中央に、正面視釣鐘形状の逃げ孔１３を備えている。
【００２３】
なお、図５に示すように、連結トリコット１２は、上述したような正面視略逆Ｔ型で形成されたパワーネット１２ａと、同形状の非伸縮性のトリコット布１２ｂとを重ね合わせて縫着し、トリコット布１２ｂが表側となるように配置している。
【００２４】
カップ基材１１ａの幅方向外側が配置するパワーネット１４は、カップ基材１１ａの幅方向外側上半に連結し、幅方向外側斜め上向き（図４中矢印ａ参照）に付勢力の高い、すなわち伸縮方向が幅方向外側斜上向きの上向きパワーネット１４ａと、カップ基材１１ａの幅方向外側下半及び連結トリコット１２の幅方向外側部分に連結し、伸縮方向が幅方向外側斜下向き（図４中矢印ｂ参照）である下向きパワーネット１４ｂとで構成している。
【００２５】
なお、パワーネットは経編のメッシュにポリウレタン弾性糸を編み込み、メッシュに強い伸縮性を持たせたネットであり、強い緊迫力、すなわちテンションを付与することができる。また、下向きパワーネット１４ｂの他端は、上述したように、バスト部３の背中部の上部に幅方向に配置された背面ネット部５に連結している。
【００２６】
ピコレース１５は、左右一対の下向きパワーネット１４ｂ及びその間の連結トリコット１２の下端に連続的に縫着されたくさり編みの縁飾りで形成している。なお、ピコレース１５は、左右一対の下向きパワーネット１４ｂと、その間の連結トリコット１２との下端に連続して形成しているため、連結トリコット１２の下辺中央の逃げ孔１３の開放された下端部をまたぐ態様で配置されている。
【００２７】
なお、くさり編みの縁飾りで形成されたピコレース１５は、下向きパワーネット１４ｂの伸縮性を補強するとともに、逃げ孔１３の開きも適度の伸縮性で抑制している。
【００２８】
マイクロテープ１６は、左右一対の上向きパワーネット１４ａと、カップ基材１１ａと、その間の連結トリコット１２との上端に連続的に縫着された８ｍｍ幅のマイクロテープである。  
これらのカップ基材１１ａ、連結トリコット１２、パワーネット１４、ピコレース１５及びマイクロテープ１６を、図４に示すように、縫着してブラジャー本体１０ａを構成している。
【００２９】
そして、ブラジャー１０のカップ部１１の内面側に装着されるバストフォーム２０は、カップ基材１１ａとの間にカップ型パット３１の装着を許容するカップ型パット装着空間を形成する裏地２１と、裏地２１との間にタマゴ型パット３２の装着を許容するタマゴ型パット装着空間を形成するパット装着ポケット２２と、裏地２１及びパット装着ポケット２２より内側に配置され、カップ部１１の下部中央から幅方向外側上部に向かう幅方向斜上向きのテンションクロス２３と、上記カップ型パット３１のカップ型パット装着空間への脱着を許容する脱着口２１ａを内側から覆う脱着口カバー２４とで構成している。
【００３０】
詳しくは、裏地２１は、幅方向には伸縮するが、高さ方向には伸縮しない織布で構成し、カップ基材１１ａと略同一の正面形状で形成している。  
なお、裏地２１の幅方向外側上部の角部分を一部内側に切欠いて脱着口２１ａを形成している。さらに、裏地２１は、略長方形の上部布と、レモン型の下部布とをカップ基材１１ａの高さ方向中央付近で幅方向に縫着して一体構成している。
【００３１】
そして、図６（ａ）に示すように、裏地２１は、カップ基材１１ａの内面側、すなわち、フィットネスウェア１を挿着した際のバスト側に配置し、脱着口２１ａ部分を除く周縁部分を縫い合わせて縫着している。
【００３２】
この脱着口２１ａを除く裏地２１の周縁部分の縫合によって、カップ基材１１ａと裏地２１との間にカップ型パット３１の装着を許容するカップ型パット装着空間を形成し、縫合されていない脱着口２１ａを通じて、該カップ型パット装着空間にカップ型パット３１を装着することができる。
【００３３】
なお、カップ型パット３１は、可撓性はあるものの、前方に突出するドーム状を保持できる立体形状で形成し、両面に織布が貼り付けられた薄いスポンジ樹脂材で形成している。
【００３４】
裏地２１との間に、タマゴ型パット装着空間を形成するパット装着ポケット２２は、図６（ｂ）に示すように、正面視略台形状に形成され、カップ基材１１ａの幅方向内側下部において、幅方向外側上部以外の周縁を、裏地２１の幅方向内側下部に縫い合わせて縫着している。これにより、幅方向外側上部をタマゴ型パット３２の脱着口２２ａに構成することができる。  
なお、タマゴ型パット３２は、内部のクッション材によって適宜の厚み、且つ正面視タマゴ型に形成されている。
【００３５】
テンションクロス２３は、図６（ｃ）に示すように、裏地２１の幅方向外側下部のバージスラインに沿って１／４カップ程度の大きさの下方に凸な円弧形状、すなわち正面視バナナ形状で形成し、下方の中央付近と、幅方向外側上端角部とに、内側に凸な円弧状の切欠き２３ａ，２３ｂを備えている。
【００３６】
なお、下方の中央付近に配置した切欠き２３ａは、連結トリコット１２の幅方向外側と下向きパワーネット１４ｂとの縫合ライン１２ｃの上端位置に対応している。また、幅方向外側上端角部に配置した切欠き２３ｂは、テンションクロス２３の縫着によって覆ってしまう、裏地２１の脱着口２１ａへのカップ型パット３１の通過を許容している。
【００３７】
また、テンションクロス２３は、図７に示すように、伸縮方向が図７において右斜方向（矢印ｃ）であるパワーネット２３１、及び伸縮方向が左斜方向（矢印ｄ）であるパワーネット２３２、すなわち伸縮方向が異なる２枚のパワーネット２３１，２３２を重ね合わせて縫合して構成している。
【００３８】
脱着口カバー２４は、図６（ｄ）に示すように、幅方向外側上部向きの正面視略直角三角形で形成され、底辺部分を除く斜辺部分を縫い合わせて縫着されている。これにより、カップ型パット装着空間に装着し、脱着口２１ａから露出するカップ型パット３１の角部のカップ部１１の内部への露出を防止している。
【００３９】
このように構成したブラジャー１０のタマゴ型パット装着空間に、図６（ｅ）に示すように、脱着口２２ａを通過させたタマゴ型パット３２を、幅方向外側上向きに装着することができる。
【００４０】
また、脱着口カバー２４をめくり、テンションクロス２３の切欠き２３ｂを通過させたカップ型パット３１を、裏地２１の脱着口２１ａからカップ型パット装着空間に装着することができる。
【００４１】
したがって、ブラジャー１０を内部に備えたフィットネスウェア１を着用することにより、利用者は、装着感のよく、きれいなバストラインを形成することができる。
【００４２】
また、カップ型パット装着空間を構成する裏地２１を、幅方向には伸縮するが、高さ方向には伸縮しない織布で構成し、その内面側に配置し、前記バストに直接接触してテンションを付与するテンションクロス２３を伸縮性のあるパワーネットで構成したことにより、よりきれいなバストラインを形成することができる。
【００４３】
詳しくは、カップ型パット装着空間に装着したカップ型パット３１によりバストの外形を構成し、その内部、すなわちカップ部１１の内側で、バスト自体にテンションクロス２３でテンションを付与しているため、例えば、フィットネスウェア１の着用者が激しく動作した場合であっても、バスト自体の変形の影響がブラジャー１０のカップ部１１の外形に現れないため、よりきれいなバストラインを保持することができる。
【００４４】
さらにまた、テンションクロス２３を、伸縮方向が異なるパワーネット２３１とパワーネット２３２とを重ねて構成しているため、いかなる方向へのバスト自体の移動であっても、適度なテンションをバスト自体に付与できるため、きれいなバストラインを維持することができる。
【００４５】
また、テンションクロス２３を、カップ部１１の幅方向内側の下部から、幅方向外側の上方に向かって、バージスラインに沿って配置しているため、テンションクロス２３は、バストに対して、幅方向内側向きの適度なテンションを付与することができる。したがって、バストの寄上げ効果を向上することができる。
【００４６】
また、テンションクロス２３の底部中央に切欠き２３ａを形成しているため、連結トリコット１２と逃げ孔１３ｂの縫合ライン１２ｃの端部と重なることを防止できる。したがって、縫合ライン１２ｃの上端とテンションクロス２３とが重なることによるカップ部１１内部への突出を低減できるため、ブラジャー１０の装着感を損なうことを防止できる。
【００４７】
また、バストを包み込む左右一対のカップ部１１と、該左右のカップ部１１を連結し、非伸縮性のトリコット布１２ｂで構成する連結トリコット１２と、前記左右のカップ部１１の幅方向外側に配され、胸部を包囲する包囲方向に少なくとも伸縮するパワーネットで構成する下向きパワーネット１４ｂ及び背面ネット部５とで構成するとともに、連結トリコット１２の下端に、下端の開きを許容する逃げ孔１３を形成し、連結トリコット１２及び逃げ孔１３ａの下端に、前記カップ型パット３１の下端を跨いで連続し、伸縮性を補強するピコレース１５を備えたことにより、バストを包み込む左右一対のカップ部１１を、非伸縮性のトリコット布１２ｂで構成する連結トリコット１２で連結するため、バストの左右への広がりを防止することができる。
【００４８】
また、幅方向に少なくとも伸縮するパワーネットで構成する下向きパワーネット１４ｂおよび背面ネット部５を、左右のカップ部１１の幅方向外側に配したことによって、カップ部１１の位置を適度な締め付け具合で固定することができる。また、パワーネット１４の伸縮性を補強するピコレース１５を連結トリコット１２及び下向きパワーネット１４ｂの下端に連続して備えたことにより、アンダーバスト部を安定させることができる。したがって、きれいなバストラインを形成することができる。
【００４９】
さらにまた、連結トリコット１２の下端に、非伸縮性のトリコット布１２ｂの下端の開きを許容する逃げ孔１３を形成しているため、例えば、フィットネスウェア１の着用者が激しく動いた場合であっても、伸縮しない連結トリコット１２の下端の逃げ孔１３が開くため、ピコレース１５が配置された連結トリコット１２及び前記パワーネット１４の下端がアンダーバスト部分に食い込むことを防止できる。
【００５０】
なお、逃げ孔１３の下端をピコレース１５が跨いでいるため、適度な張力で逃げ孔１３の開きを抑制することができ、フィットネスウェア１の装着感を向上することができる。
【００５１】
また、逃げ孔１３を、正面視略釣鐘形状の開口で形成しているため、伸縮しない連結トリコット１２の下端が、開く方向のみならず、縮む方向となった場合であっても、釣鐘形状の開口によって、上記縮みを吸収できるため、フィットネスウェア１におけるブラジャー１０の装着感をより向上することができる。
【００５２】
また、前記パワーネット１４を、伸縮方向が幅方向外側上向き（矢印ａ（図４））である上向きパワーネット１４ａと、幅方向外側下向き（矢印ｂ（図４））の下向きパワーネット１４ｂとで構成し、前記ピコレース１５を、前記下向きパワーネット１４ｂの下端に配置しているため、バストの重力に対抗し、カップ部１１を上方位置で保持すると共に、アンダーバスト部分を適度に締め付けでき、よりきれいなバストラインを形成することができる。
【００５３】
また、カップ部１１の内面側に、タマゴ型パット３２の装着を許容するタマゴ型パット装着空間を備え、該タマゴ型パット装着空間を、各カップ部１１における幅方向内側下部、すなわち着用者の中心側の下に配置したことにより、タマゴ型パット装着空間に装着したタマゴ型パット３２により、バストの谷間下部を上方に押し上げることができる。したがって、バストの寄上げ効果を得ることができ、さらにきれいなバストラインを形成することができる。
【００５４】
また、タマゴ型パット３２をタマゴ型パット装着空間に幅方向外側上向きに装着するため、タマゴ型に形成したタマゴ型パット３２がバストの谷間下部にフィットし、より自然な寄上げ効果を得ることができる。
【００５５】
また、前記カップ部１１に、前記カップ部１１の形状を構成するカップ型パット３１を装着するカップ型パット装着空間を備え、タマゴ型パット装着空間を、前記カップ型パット装着空間の内面側に配置したことにより、カップ型パット３１でバストの正面形状を整え、さらに、タマゴ型パット装着空間に装着したタマゴ型パット３２での自然な寄上げ効果を得ることができる。したがって、バスト全体をきれいにすることができる。
【００５６】
また、前記カップ型パットの脱着を許容する脱着口２１ａを形成し、裏地２１の内面側を覆う脱着口カバー２４を備えているため、前記カップ型パット装着空間に装着したカップ型パット３１の脱着口カバー２４から露出する角部がバストに当たることを防止できる。したがって、安全で、装着感のよいフィットネスウェア１を構成することができる。
【００５７】
この考案の構成と、上述の実施形態との対応において、
この考案のカップ付き女性用衣類は、フィットネスウェア１に対応し、
以下同様に、
カップ体は、カップ部１１に対応し、
包囲体は、下向きパワーネット１４ｂ及び背面ネット部５に対応し、
縫製箇所は、縫合ライン１２ｃに対応し、
カップ型パット装着ポケットは、カップ型パット装着空間を形成する裏地２１に対応し、
少なくとも一方向に伸縮しない非伸縮性布帛は、幅方向には伸縮するが、高さ方向には伸縮しない織布に対応し、
伸縮性布帛は、パワーネットに対応し、
重なり防止開口は、切欠き２３ａに対応するも
この考案は、上述の実施形態の構成のみに限定されるものではなく、多くの実施の形態を得ることができる。
【図面の簡単な説明】
【００５８】
【図１】フィットネスウェアの斜視図。
【図２】表裏を裏返して着用した状態のフィットネスウェアの正面図。
【図３】フィットネスウェアのブラジャーの裏面図。
【図４】ブラジャーのブラジャー本体の分解構成図
【図５】連結トリコットの構成説明図。
【図６】カップ部の組み立て構成図。
【図７】テンションクロスの構成説明図。
【符号の説明】
【００５９】
１…フィットネスウェア
５…背面ネット部
１１…カップ部
１２ｃ…縫合ライン
１４ｂ…下向きパワーネット
２１…裏地
２３…テンションクロス
２３ａ…切欠き
３１…カップ型パット
【図１】
0003145273.tif 000003
【図２】
0003145273.tif 000004
【図３】
0003145273.tif 000005
【図４】
0003145273.tif 000006
【図５】
0003145273.tif 000007
【図６】
0003145273.tif 000008
【図７】
0003145273.tif 000009